(57)【要約】  プラスチック材を押出し加工した細長建築部材（１２）である。この建築部材（１２）は、直線状及び曲線状の壁（１１）を形成するのに用いられる。同種の建築部材（１２）は横断方向の相対的な移動及び凹部（２１）でのフランジ（２２）のスナップ係合により互いに固定される。１つの形態における、その建築部材（１２）は、垂直方向に延び、係合された建築部材同士を密閉接続するために使用される密閉突出部（２６）を有する。【選択図】図６
2014510858.tif 000002
【特許請求の範囲】
【請求項１】
垂直方向に細長い形状を有し、コンクリートが注入される押出中空建築部材であって、前記建築部材は、一体的に形成されるように押し出し成形され、
略垂直方向に同じ大きさで広がり、略垂直方向に平行で、互いに間隔を有する一対の垂直方向に延びる壁と、
互いに間隔を有し、前記側壁と接合し、第１ウェブと第２ウェブを含む垂直方向に延びる複数の横断ウェブと、
前記側壁のそれぞれに形成された一対の垂直方向に延びる溝と、
前記壁のそれぞれから延びるように設けられた一対の垂直方向に延びるエンドフランジと、
前記第１ウェブから前記溝のそれぞれの方向に向かう一対の垂直方向に延びる面と、
各前記エンドフランジのそれぞれから延び、かつ、垂直方向に延びる密閉突出部とを有し、
前記エンドフランジ及び前記溝は、前記溝のそれぞれと、同様の建築部材の前記フランジのそれぞれとが係合するように配置されて構成され、
前記エンドフランジを前記同種の建築部材の前記それぞれの方向に向かう面に関して横断方向に移動させると、前記エンドフランジは弾性変形されて前記エンドフランジそれぞれが前記溝のそれぞれにおいてスナップ係合され、それにより前記建築部材同士がスナップ係合により固定されるように、前記エンドフランジは前記同種の建築部材の垂直方向の面との係合により弾性変形され、
前記密閉突出部は、それら密閉突出部に関連付けられたフランジから前記他の建築部材へ向かって横断方向に延び、前記建築部材同士を密閉接続するために使用される、建築部材。
【請求項２】
前記各エンドフレンジは前記第１の壁から横断方向に延びる第１の部分と、前記他の建築部材の関連付けられた溝へ突出するように前記第１の部分に関して略横断方向に延びる第２の部分とを含む、請求項１に記載の建築部材。
【請求項３】
前記密閉部材は、前記部分から突出する、請求項１又は２に記載の建築部材。
【請求項４】
前記密閉突出部は、前記第２の部分から延びる、請求項１又は２に記載の建築部材。
【請求項５】
各前記溝は、前記建築部材の垂直方向に延びる溝提供部によって設けられ、前記溝提供部は前記建築部材の垂直方向に延び、前記建築部材同士が密閉接続されるように、前記第２の部分の前記密閉部材と動作可能に結合するように前記溝内に向かって延びる密閉突出部を有する、請求項１〜４のいずれか１項に記載の建築部材。
【発明の詳細な説明】
【技術分野】
【０００１】
本発明は、壁やパネルを形成するために組み合わされる細長中空建築部材に関するものであり、特に、押し出し加工されたプラスチック材で、スナップ係合により互いに固定される建築部材に関する。この建築部材は基底部壁、液体及び粒状物貯蔵タンク、その他構造体の構成に利用される。
【背景技術】
【０００２】
本発明は、特許文献１に開示された建築部材に関連する。
水貯蔵タンクの壁や地下建築物の壁のように、水分にさらされる壁においては、典型的には防水加工がその水分にさらされる壁に施される。伝統的なコンクリート及び強化組積壁の構造において、これら壁は長時間水分にさらされるとコンクリートの劣化や鉄の腐食の原因となるので、水分から保護される必要がある。更に、壁上に発生するカビ、白カビ及び真菌、そして細菌の繁殖といった問題もある。この課題を解決するために、典型的には防水加工された薄膜が適用され、水分がコンクリートや強化組積壁に到達するのを阻止する。また、防水加工薄膜を適用すべく、地表と壁との間に隙間を設けることも希ではない。標準的には、その隙間は１メートルになることもある。この隙間は働く人々のための安全問題と考えることができる。
【先行技術文献】
【特許文献】
【０００３】
【特許文献１】米国特許第７７０３２４８号明細書
【発明の概要】
【発明が解決しようとする課題】
【０００４】
湿潤環境に存在しなければならない壁の上記のような構造は、防水し損ねると壁が劣化するという点で多くのデメリットを有している。更に、隙間が壁と地表との間で要求される場合はフロア面積の損失もデメリットである。
【０００５】
そこで、本発明は上述したデメリットの少なくとも１つを克服、又は実質的に改善することを目的とする。
【課題を解決するための手段】
【０００６】
以下、垂直方向に細長い形状を有し、コンクリートが注入される押出中空建築部材について説明する。この建築部材は一体的に形成されるように押し出し成形され、
略垂直方向に同じ大きさで広がり、略垂直方向に平行で、互いに間隔を有する一対の垂直方向に延びる壁と、
互いに間隔を有し、前記側壁と接合し、第１ウェブと第２ウェブを含む垂直方向に延びる複数の横断ウェブと、
前記側壁のそれぞれに形成された一対の垂直方向に延びる溝と、
前記壁のそれぞれから延びるように設けられた一対の垂直方向に延びるエンドフランジと、
前記第１ウェブから前記溝のそれぞれの方向に向かう一対の垂直方向に延びる面と、
各前記エンドフランジのそれぞれから延び、かつ、垂直方向に延びる密閉突出部とを有し、
前記エンドフランジ及び前記溝は、前記溝のそれぞれと、同様の建築部材の前記フランジのそれぞれとが係合するように配置されて構成され、
前記エンドフランジを前記同種の建築部材の前記それぞれの方向に向かう面に関して横断方向に移動させると、前記エンドフランジは弾性変形されて前記エンドフランジそれぞれが前記溝のそれぞれにおいてスナップ係合され、それにより前記建築部材同士がスナップ係合により固定されるように、前記エンドフランジは前記同種の建築部材の垂直方向の面との係合により弾性変形され、
前記密閉突出部は、それら密閉突出部に関連付けられたフランジから前記他の建築部材へ向かって横断方向に延び、前記建築部材同士を密閉接続するために使用される。
【０００７】
好ましくは、前記各エンドフレンジは前記第１の壁から横断方向に延びる第１の部分と、前記他の建築部材の関連付けられた溝へ突出するように前記第１の部分に関して略横断方向に延びる第２の部分とを含む。
【０００８】
１つの好ましい形状においては、前記密閉部材は、前記部分から突出する。
更なる好ましい形状においては、前記密閉突出部は、前記第２の部分から延びる。
【０００９】
好ましくは、各前記溝は、前記建築部材の垂直方向に延びる溝提供部によって設けられ、前記溝提供部は前記建築部材の垂直方向に延び、前記建築部材同士が密閉接続されるように、前記第２の部分の前記密閉部材と動作可能に結合するように前記溝内に向かって延びる密閉突出部を有する。
【図面の簡単な説明】
【００１０】
本発明の好ましい形態を、下記添付図面を例として参照しつつ説明する。
【図１】建造物基底部の複数の壁を示す概略上面図。
【図２】図１に示される複数の壁のうち１つの壁の一部について示す概略上面図。
【図３】図１に示される複数の壁のうち１つの壁の他の一部を示す概略上面図。
【図４】図１の基底部の壁を形成するために使われた建築部材を示す概略上面図。
【図５】図１の壁を形成する際に使用された更なる建築部材を示す概略上面図。
【図６】図１の壁を形成するために使用された建築部材の一部を示す概略拡大図。
【図７】図６の代替可能な箇所を示す概略上面図。
【発明を実施するための形態】
【００１１】
添付図面のうち図１には、ある建造物の基底部１０が概略的に示されている。基底部１０は、地下に設けられていてもよい。
基底部１０は、直線状の又はカーブ状の複数の壁１１を含む。各壁１１は複数の細長い建築部材１２によって形成されている。各建築部材１２は、中空で、プラスチック材から押し出されたものである。各建築部材１２は、垂直方向に延び、かつ垂直方向に平行な一対の側壁１３を有している。図３に図示されている建築部材１２は、水平方向にも平行で略平らな側壁１３を有している。図５の建築部材１２は、垂直方向に延びる側壁１４、１５を有している。側壁１４、１５は、カーブ状の壁及び角の構造のために所望の角度２９によって傾けられた壁１１を提供する。内壁１５の水平方向に関する幅は外壁１４と比較して短い。
【００１２】
各建築部材１２は複数の横断ウェブ１６、及び複数のエンドウェブ１７、１８を有している。図４の建築部材１２の各横断ウェブ１６は、接続ウェブ１９によって側壁１３に結合する。接続ウェブ１９のそれぞれは、側壁１３との接続位置から対応する横断ウェブ１６に向かって収斂するように傾いている。
【００１３】
エンドウェブ１８は、そのエンドウェブ１８から延び、垂直方向に延びる傾斜面２０を有する。傾斜面２０はウェブ１８から側壁１３、１４、１５の方向へそれぞれ向かう。傾斜面２０は垂直方向に延びる溝２１に向かって延びる。
【００１４】
エンドウェブ１７から延びているのは、フランジ２２である。図４の形態においてフランジ２２は、互いに略平行であり同じ大きさである。
【００１５】
同種の建築部材１２同士は、建築部材１２間の水平方向に関する相対的な動きによって接続される。特に、連結される建築部材１２のうち一方の建築部材１２のフランジ２２のそれぞれは、個々に弾性的に変形されるように傾斜面２０に対して水平方向に移動して、凹部２１でスナップ接合し、これにより、隣接する建築部材１２と接続する。
【００１６】
図６及び図７に最もよく示されているように、各フランジ２２は、エンドウェブ１７から延びる第１フランジ部２３と、第１フランジ部２３から延びる第２フランジ部２４とを含んでいる。第２フランジ部２４は凹部２１内に位置すべきものである。各建築部材１２が有する２つの第１フランジ部２３は、略平行で同じ大きさである、そして、関連付けられたエンドウェブ１７に対して略水平方向に延びる。第２フランジ部２６は、第１フランジ部から、エンドウェブ１７に対して略平行な方向に突出している。
【００１７】
各溝２１は、溝提供部２５によって設けられる。各建築部材１２が有する２つの溝提供部２５は略平行で同じ大きさである。溝提供部２５は第２フランジ部２４を受け入れるように、その横断面図はＵ字形である。
【００１８】
図６の形態では、第１フランジ部２３には、矢じりのような形状を有し、垂直方向に延びるシール突出部２６が設けられている。シール突出部２６は、第１フランジ部２３から他方の建築部材１２に向かって延びている。突出部２６は実際に他方の建築部材１２と係合していてもよいし、あるいは、他方の建築部材１２から少し間隔があいていてもよい。そのような例において、空洞部３０に注がれる塗れたコンクリートは、各密閉突出部２６を隣接する建築部材１２に対して密閉接続する。突出部２６は係合された建築部材１２を密閉接続させる。
【００１９】
図６に示されているように、建築部材１２が接続される時、第２フランジ部２４は、第１フランジ部２２の外方向への弾性変形を起こすために、溝２１と並んでスナップ接合するまで傾斜面２０に沿うように移動すればよい。
【００２０】
図７の形態では、一対の密閉突出部２７、２８が設けられている。密閉突出部２８が凹部提供部２５から延びている一方、密閉突出部２７は第２フランジ部２４から延びている。密閉突出部２７、２８は、それらの隙間が塗れたコンクリートによって密閉されるように、互いに係合又は隣接した位置にある。
【００２１】
突出部２６、２７、２８は、建築部材１２のそれぞれの垂直方向の全長にわたっている。
【図１】
2014510858.tif 000003
【図２】
2014510858.tif 000004
【図３】
2014510858.tif 000005
【図４】
2014510858.tif 000006
【図５】
2014510858.tif 000007
【図６】
2014510858.tif 000008
【図７】
2014510858.tif 000009
【国際調査報告】
2014510858.tif 000010
2014510858.tif 000011
2014510858.tif 000012